(57)【要約】【課題】図柄変動部を注視する遊技者に対して大きく視線移動を強いる必要なく、遊技情報を表示する構成とした場合にあっても、遊技機の回動時等に干渉しない表示部を備えた遊技機装置を提供する。【解決手段】装置本体９が遊技機１間に設置された遊技機装置３は、遊技情報を表示する表示部１０を備えると共に、表示部１０を本体に対して接合する表示アーム１６を備えている。表示アーム１６は、第１軸１８、及び第２軸１９を中心にして回動可能であり、第２軸１９の回転抵抗力を第１軸１８の回転抵抗力よりも小さく設定した回転抵抗力設定機構３２を備えるようにした。【選択図】図１
2010029446.tif 000002
【特許請求の範囲】
【請求項１】
遊技機に対応して設けられる遊技機装置であって、その本体である装置本体が遊技機の側方に設置されると共に、対応する遊技機の遊技情報を表示する表示部を備えた遊技機装置において、
前記装置本体と前記表示部とを接合すると共に、第１軸、及び第２軸を中心にして回動可能な表示アームと、
前記表示アームに設けられ、前記第１軸の回転抵抗力を設定する第１回転抵抗力設定手段と、
前記表示アームに設けられ、第１回転抵抗力設定手段が設定する回転抵抗力よりも小さな回転抵抗力にて前記第２軸の回転抵抗力を設定する第２回転抵抗力設定手段と、
を備えたことを特徴とする遊技機装置。
【請求項２】
前記第１回転抵抗力設定手段は前記装置本体側に設けられる一方、前記第２回転抵抗力設定手段は前記表示部側に設けられていることを特徴とする請求項１記載の遊技機装置。
【請求項３】
前記表示アームは、表示アーム本体と、前記装置本体に対して当該表示アームを固定する本体側固定部、及び当該表示アームに対して前記表示部を固定する表示部側固定部とにより構成され、
前記表示アーム本体は前記本体側固定部に対して回動可能に接合され、その回動軸を前記第１軸とし、
前記第１回転抵抗力設定手段は、前記表示アーム本体が前記本体側固定部に対して接合される際に、前記本体側固定部に対して前記表示アーム本体が回動する際の摩擦抵抗を調節することで第１軸の回転抵抗力を設定し、
前記表示部側固定部は前記表示アーム本体に対して回動可能に接合され、その回動軸を前記第２軸とし、
前記第２回転抵抗力設定手段は、前記表示部側固定部が前記表示アーム本体に対して接合される際に、前記表示アーム本体に対して前記表示部側固定部が回動する際の摩擦抵抗を調節することで前記第２軸の回転抵抗力を設定することを特徴とする請求項２記載の遊技機装置。
【請求項４】
前記表示アーム本体に対する前記表示部側固定部の回動を一時的に固定する表示部側ラッチ手段を備え、
前記表示部側固定部は、前記表示アーム本体に対して少なくとも複数の接合箇所にて接合され、
前記第２回転抵抗力設定手段と前記表示部側ラッチ手段とが互いに異なる接合箇所に対応して設けられていることを特徴とする請求項３記載の遊技機装置。
【請求項５】
前記本体側固定部、及び前記表示アーム本体は座金を介して接合され、前記本体側固定部、及び前記表示アーム本体の少なくとも一方における座金との接地面である座金接地面に凸部、或いは凹部を設けると共に、前記座金接地面に接地する座金の接地面に前記座金接地面の凸部、或いは凹部に対応する様に凹部、或いは凸部を設け、前記本体側固定部に対して前記表示アームを回動させた際の所定の角度にて各々の接地面に設けられる凸部と凹部とが嵌合することで、前記回動を一時的に固定する本体側ラッチ手段を備え、
前記表示アーム本体は、前記本体側固定部に対して少なくとも複数の接合箇所にて接合され、前記第１回転抵抗力設定手段と前記本体側ラッチ手段とが同一の接合箇所に対応して設けられていることを特徴とする請求項３または４記載の遊技機装置。
【発明の詳細な説明】
【技術分野】
【０００１】
本発明は、対応する遊技機の遊技情報を表示する表示部を備えた遊技機装置に関する。
【背景技術】
【０００２】
遊技場には遊技機に対応して各種遊技情報を表示する遊技機装置が設けられている。この様な遊技機装置は、輸送時の利便性、或いは対応する遊技機を回動する際に干渉しない様に遊技機装置本体に対して表示部を突出させ、更にその表示部を回動可能に構成することで、遊技者に対して見易い位置にて情報提供出来る様にしている（特許文献１参照）。
【特許文献１】特開平１０−２４４０６６号公報
【発明の開示】
【発明が解決しようとする課題】
【０００３】
さて、遊技者は、遊技中に遊技結果が表示される遊技機の表示部、即ち図柄変動部を注視しているが、特許文献１に示す遊技機装置を含め、従来の遊技機装置は、表示部の回動を１軸のみで行っている為、図柄変動部との距離を接近させることに限界が有り、遊技中の遊技者に対して図柄表示部と遊技機装置の表示部とで大きく視線移動を強いる必要があった。
【０００４】
本発明は上記事情に鑑みてなされたもので、その目的は、図柄変動部を注視する遊技者に対して大きく視線移動を強いる必要なく、遊技情報を表示する構成とした場合にあっても、遊技機の回動時等に干渉しない表示部を備えた遊技機装置を提供することにある。
【課題を解決するための手段】
【０００５】
請求項１記載の発明は、遊技機に対応して設けられる遊技機装置であって、その本体である装置本体が遊技機の側方に設置されると共に、対応する遊技機の遊技情報を表示する表示部を備えた遊技機装置において、
前記装置本体と前記表示部とを接合すると共に、第１軸、及び第２軸を中心にして回動可能な表示アームと、前記表示アームに設けられ、前記第１軸の回転抵抗力を設定する第１回転抵抗力設定手段と、前記表示アームに設けられ、第１回転抵抗力設定手段が設定する回転抵抗力よりも小さな回転抵抗力にて前記第２軸の回転抵抗力を設定する第２回転抵抗力設定手段と、を備えたものである（請求項１）。
【０００６】
請求項１記載の発明において、前記第１回転抵抗力設定手段は前記装置本体側に設けられる一方、前記第２回転抵抗力設定手段は前記表示部側に設けられているようにしてもよい（請求項２）。
【０００７】
請求項２記載の発明において、前記表示アームは、表示アーム本体と、前記装置本体に対して当該表示アームを固定する本体側固定部、及び当該表示アームに対して前記表示部を固定する表示部側固定部とにより構成され、前記表示アーム本体は前記本体側固定部に対して回動可能に接合され、その回動軸を前記第１軸とし、前記第１回転抵抗力設定手段は、前記表示アーム本体が前記本体側固定部に対して接合される際に、前記本体側固定部に対して前記表示アーム本体が回動する際の摩擦抵抗を調節することで第１軸の回転抵抗力を設定し、前記表示部側固定部は前記表示アーム本体に対して回動可能に接合され、その回動軸を前記第２軸とし、前記第２回転抵抗力設定手段は、前記表示部側固定部が前記表示アーム本体に対して接合される際に、前記表示アーム本体に対して前記表示部側固定部が回動する際の摩擦抵抗を調節することで前記第２軸の回転抵抗力を設定するようにしてもよい（請求項３）。
【０００８】
請求項３記載の発明において、前記表示アーム本体に対する前記表示部側固定部の回動を一時的に固定する表示部側ラッチ手段を備え、前記表示部側固定部は、前記表示アーム本体に対して少なくとも複数の接合箇所にて接合され、前記第２回転抵抗力設定手段と前記表示部側ラッチ手段とが互いに異なる接合箇所に対応して設けられていてもよい（請求項４）。
【０００９】
請求項３または４記載の発明において、前記本体側固定部、及び前記表示アーム本体は座金を介して接合され、前記本体側固定部、及び前記表示アーム本体の少なくとも一方における座金との接地面である座金接地面に凸部、或いは凹部を設けると共に、前記座金接地面に接地する座金の接地面に前記座金接地面の凸部、或いは凹部に対応する様に凹部、或いは凸部を設け、前記本体側固定部に対して前記表示アームを回動させた際の所定の角度にて各々の接地面に設けられる凸部と凹部とが嵌合することで、前記回動を一時的に固定する本体側ラッチ手段を備え、前記表示アーム本体は、前記本体側固定部に対して少なくとも複数の接合箇所にて接合され、前記第１回転抵抗力設定手段と前記本体側ラッチ手段とが同一の接合箇所に対応して設けられていてもよい（請求項５）。
【発明の効果】
【００１０】
請求項１の発明によれば、２つの回動軸を設けたことにより、遊技者に対して表示部を迫出して回動させることが可能となる一方、メンテナンス等の為に対応する遊技機を回動させた場合に、第２軸の回転抵抗力が第１軸の回転抵抗力よりも小さいことから、遊技機との干渉により第２軸が第１軸に優先されて回動する。よって、遊技機を元の状態へと戻した場合に第２軸についてのみ元に戻せば済むので、第１軸を戻すことなく遊技機の回動前の状態に戻すことが可能となり、第１軸、及び第２軸の双方をメンテナンスの度に元に戻さなければならない様な運用上の利便性を損なう虞がない。
【００１１】
請求項２の発明によれば、回転抵抗力が小さい第２軸が表示部側に設けられる為、遊技機を回動する場合に表示部側の第２軸が装置本体側の第１軸に優先されて回動する。よって、遊技機の回動時に装置本体側に与える振動が減少し、例えば装置本体側に主制御基板等の精密機器を配置した場合に、その精密機器に対する振動を抑制出来る。また、例えば、表示部のメンテナンスを考慮すると、表示アームを装置本体に対して着脱可能に構成し、表示部のメンテナンス時には表示アームごと取外すことが望ましいが、そのメンテナンスを繰返すことで表示アームを取付ける装置本体側の板金が消耗し２次的なメンテナンス（装置本体の交換等）が発生する虞があるが、遊技機を回動する際に第２軸が優先して回動される為、その振動が装置本体側まで伝わる可能性が低ければ、その場合の消粍が少なく、板金の耐久性を高く保つことが可能となる。尚、遊技機の回動後に元に戻した場合、遊技者に近い第２軸のみを戻せば良いという利便性が高くなる効果もある。
【００１２】
表示アームにおいて、表示部側は装置本体側に比べて遊技者よりであり目立つ位置にある。この場合、遊技機装置のデザイン性を高める為には、表示部側の構成をいかにスマートに見せるかが重要なポイントとなる。請求項３の発明では、第２軸に回転抵抗力設定手段と、ラッチ手段の２つの構成を設けたとしても各々を異なる接合箇所に設ける為、両者の機能を損なうことなく第２軸をスマートに形成出来、デザイン性の高い遊技機装置を提供可能となる。
【００１３】
請求項４の発明の場合、装置本体側は表示部側に対して目立たない箇所になるが、表示アームの先にある表示部を支えることから一定の強度が必要となる。即ち、第１軸は第２軸よりも太く構成することになるが、請求項５の発明によれば、ラッチ手段と、回転抵抗力設定手段とを１点に集約したことにより、両者の機能が相乗化される。即ち、第１軸は少なくとも第２軸よりも摩擦抵抗が大きなことから固く接合される。よって、ラッチ手段における固定強度を増すことが可能となる。尚、第２軸と比べて第１軸はデザイン上制約が小さいことから大きく形成出来、両者を集約しても機能が損なわれることもない。更には、ラッチ手段、及び回転抵抗力設定手段を設けた接続箇所の他方側には両者を設けなくとも良くなるので、座金が不必要になる等、コストを削減出来る。
【発明を実施するための最良の形態】
【００１４】
以下、本発明の一実施形態について図面を参照して説明する。
図６は、全体構成を示す概略図である。遊技機１に対応して貸出装置２、及び遊技機装置３が設置されている。管理室には管理装置４が設定されている。２台の遊技機１、貸出装置２、遊技機装置３に対応して中継装置５が設置されている。遊技機装置３、貸出装置２、遊技機１、及び中継装置５は接続されていると共に、中継装置５はＬＡＮ６を介して管理装置４と接続されている。管理装置４は中継装置５を介して遊技機装置３と情報の送受信を可能であり、遊技機装置３の各種設定等を可能とする。
【００１５】
貸出装置２には貨幣受入口７が設けられ、複数金種の紙幣（貨幣）の受付が可能で、遊技機１における貸出釦（図示せず）の押下や、貨幣の受付に応じて遊技玉を貸出す貸出処理を行う。また、遊技機１における残高表示部（図示せず）にて受付けた貨幣の残高を表示する。
【００１６】
貸出装置２は、記憶領域を備えた所定数の残高カードをストックしており、受付けた貨幣による残高がある場合に遊技機１における発行釦（図示せず）に対する操作があった場合は、その残高を記憶した残高カードをカード排出口８から排出する。残高カードは、所定の清算機にて残高を清算可能であると共に、貸出装置２におけるカード排出口８に投入されると、その残高を貸出装置２の残高へ移行する。
【００１７】
図７は、遊技機装置３の斜視図である。遊技機装置３は、装置本体９に表示部１０を備えて構成されている。表示部１０はタッチパネル式で、遊技機１、中継装置５、貸出装置２或いは管理装置４から受信した各種遊技情報（大当たり回数等の対応する遊技機１等の遊技情報、遊技場サービスの受付表示、遊技機１の遊技方法等）を表示可能である。
【００１８】
遊技機装置３は、所謂会員カードをカード受付口１１にて受付けると、そのカードＩＤに対応付けて管理装置４が記憶する所謂貯玉（遊技場へと預け入れられた獲得玉）を問合わせ、その貯玉が有る状態で表示部１０に設けられた再遊技釦１２を受付けた場合に貯玉を対価とした貸玉の払出である所謂再遊技処理を可能とする。尚、貸玉の払出は、対応する遊技機１から行われる。
【００１９】
表示部１０には大当たり時や優良台等の状態表示を行う状態表示ランプ１３、エラー等の状態表示を行うエラーランプ１４が備えられており、遊技機装置３は、表示部１０に設けられた呼出釦１５の押下があった場合は、表示部１０や各種ランプを呼出表示状態とすると共に、呼出状態であることを示す呼出信号を管理装置４等に送信する。
【００２０】
上記表示部１０は装置本体９に可動に支持されており、その支持構造について説明する。
図３は表示部１０を背面方向から示す斜視図、図４は表示部１０を正面方向から示す斜視図である。尚、これらの図では、ヒンジ構造の図示を省略した。
表示部１０は、表示アーム１６を介して装置本体９に取付けられている。表示アーム１６は、装置本体９側の第１軸１８と表示部１０側の第２軸１９との２つのヒンジ構造を備えており、それらの２軸１８，１９は、後述するように互いに回転抵抗力（回転するのに要する力）が異なるように設定されている。また、これらの２軸１８，１９は所定箇所にて固定（ラッチ）可能であり、図５に示すような各角度パターンでもって表示部１０を容易に位置決め可能となっている。表示アーム１６は、表示部１０に対して直線状となる角度バターン（表示アーム１６と表示部１０とが０度の状態）では表示部１０の背面に形成された陥没部１０ａに補強部１６ａが格納可能となっており（図５（ｅ）参照）、その格納状態であっても、表示部１０から導出されて装置本体９側と接続された電源及び情報用ケーブル１７が補強部１６ａに挟まれないようになっている。
【００２１】
図１は、表示アーム１６を分解した斜視図である。第１軸１８は、表示アーム本体２０を上本体側固定部２１、及び下本体側固定部２２に回動可能に支持するために設けられている。上本体側固定部２１には嵌込孔２１ａが形成されており、その嵌込孔２１ａに、上第１座金２３、上第２座金２４、表示アーム本体２０の第１軸上アーム（接合箇所に相当）２５、下第１座金２６、下第２座金２７を介して留部材２８が嵌合されており、これらにより回転抵抗力設定機構（第１回転抵抗力設定手段に相当）２９が構成されている。上本体側固定部２１には突出部２１ｂが形成されており、その突出部２１ｂが第１軸上アーム２５に形成された挿入孔２５ａに挿入されることにより、上本体側固定部２１に対する第１軸上アーム２５の回転範囲が挿入孔２５ａ内に制限されている。
【００２２】
下本体側固定部２２には嵌込孔２２ａが形成されており、その嵌込孔２２ａに第１軸下アーム３０を介して留部材３１が嵌合されている。下本体側固定部２２には突出部２２ｂが形成されており、その突出部２２ｂが第１軸下アーム３０に形成された挿入孔３０ａに挿入されることにより、下本体側固定部２２に対する第１軸下アーム３０の回転範囲が挿入孔３０ａ内に制限されている。
【００２３】
第２軸１９は、表示アーム本体２０を表示部１０に回動可能に支持するために設けられている。第２軸上アーム３３には嵌込孔３３ａが形成されており、その嵌込孔３３ａに、上第１座金３４、表示部側固定部３５に設けられた上接合部（接合箇所に相当）３６、下第１座金３７、下第２座金３８を介して留部材３９が嵌合されている。第２軸上アーム３３には突出部３３ｂが形成され、上接合部３６には突出部止め３６ａが形成されており、上接合部３６は、突出部止め３６ａの範囲内のみに回動が制限されている。
【００２４】
第２軸下アーム４０には嵌込孔４０ａが形成されており、その嵌込孔４０ａに、上第１座金４１、上第２座金４２、表示部側固定部３５の下接合部（接合箇所に相当）４３、座金４４を介して留部材４５が嵌合されており、これらにより回転抵抗力設定機構（第２回転抵抗力設定手段に相当）４６が構成されている。第２軸下アーム４０には突出部４０ｂが形成され、下接合部４３には突出部止め４３ａが形成されており、下接合部４３は、突出部止め４３ａの範囲内のみに回動が制限されている。
尚、上本体側固定部２１、及び下本体固定部２２は装置本外９に、表示部側固定部３５は陥没部１０ａに接合され、更に表示アーム１６は第１軸１８、及び第２軸１９を中心に回動可能であることから、表示部１０が装置本体９に可動に支持されることになる。
【００２５】
各軸１８，１９に設けられている各留部材２８，３１，３９，４５は、嵌込対象となる部材に形成された嵌込孔２１ａ，２２ａ，３３ａ，４０ａに嵌合された後、その先端を傘状にプレスすることで抜止めされている。ここで、第１軸上アーム２５に対応した留部材２８をプレスする際に、上本体側固定部２１と留部材２８との距離を調節することで第１軸１８の回転抵抗力を調節する。即ち、上本体側固定部２１と留部材２８との距離が短い場合には、上本体側固定部２１、座金２３，２４、第１軸上アーム２５、座金２６，２７、留部材２８間の摩擦抵抗が大きく、その距離が長くなるほど摩擦抵抗が小さくなるので、その距離に応じて回転抵抗力を調節することができる。第２軸１９も同様に第２軸下アーム４０に対応した留部材４５をプレスする際に回転抵抗力を調節するが、この場合、第２軸１９の回転抵抗力が第１軸１８の回転抵抗力よりも小さくなる様にプレスする。
尚、第１軸下アーム３０、及び第２軸上アーム３３に対応する留部材３１，３９については、回転抵抗力に影響が出ない程度にプレスする。
【００２６】
図２は、表示アーム１６の第２軸１９の上部を示す拡大斜視図である。この図２に示すように、第２軸上アーム３３、各座金３４，３７，３８の中央の嵌込孔３４ａ，３７ａ，３８ａ、及び留部材３９の嵌込部３９ａは同一の略多角形状に形成されているのに対して、表示部側固定部３５の上接合部３６に形成された嵌込孔３６ｂは略円状に形成されている。これにより、表示部側固定部３５を回動させても、留部材３９、各座金３４，３７，３８、及び第２軸上アーム３３の回動は抑制されるので、回動しない上下の座金３４，３７に挟まれた上接合部３６のみが回動する。
【００２７】
上接合部３６の上面及び下面には切欠部を含む６個の凹部３６ｃが形成されている。上第１座金３４の下面（座金設置面に相当）、及び下第１座金３７の上面（座金設置面に相当）には２つの凸部３７ｂ（上第１座金３４の凸部は図示せず）が形成されている。ここで、上接合部３６の凹部３６ｃは、向かい合う２つの凹部３６ｃを１組とし、その１組を４５度間隔で合計３組形成されている。この様な構成により、上接合部３６の凹部３６ｃに座金３４，３７の凸部３７ｂが嵌合することにより、上接合部３６の回動を抑制（ラッチ）するラッチ機構（表示部側ラッチ手段に相当）４７が構成されている。
【００２８】
図１に示すように第１軸上アーム２５にも上述のようなラッチ機構（本体側ラッチ手段に相当）４８が構成されている。この場合、第２軸下アーム４０は座金等に凸部を設けない構成とし、第１軸下アーム３０には座金自体を用いない構成とした。尚、第２軸１９では回動範囲を定める突出部止め３６ａを突状に形成したが、第１軸１８では挿入孔２５ａにより回動範囲を定めた。
【００２９】
第１軸１８は第２軸１９に比べて回動範囲に応じた表示部１０の移動範囲が大きくなる為、第１軸上アーム２５に形成する凹部２５ｂは２０度間隔に設定した。
ここで、各軸１８，１９の回転抵抗力を互いに異なる様に設定した理由は、遊技機１を回動させる際に表示部１０が干渉すると、表示アーム１６も回動する為、その回動を第１軸１８、１９のいずれか一方のみに限定することにより、遊技機１の回動後に見易い位置へと復帰（以下、現状復帰）させる際に、そのいずれか一方のみを戻せば良い為である。
【００３０】
また、回転抵抗力が小さく設定された軸（本実施形態では第２軸１９）に関しては、回動することによる消耗が大きくなるが、両者の回転抵抗力を均等化して両者の消耗を均衡化させるよりも、回転抵抗力の小さい一方のみを消耗させることで、一方の部品交換のみで全体の耐久性が増すことが出来る。
【００３１】
また、本実施形態では、第１軸１８よりも第２軸１９の回転抵抗力を小さくしたのは、第１の理由として、遊技機１を回動させた際に、主制御基板等の精密機器が配設される装置本体９から離れた第２軸１９を回動させる方が、装置本体９の精密機器に対する振動を弱く出来る為である。
【００３２】
第２の理由としては、第１軸１８を主体に回動させると表示アーム１６を固定する本体側の板金の耐久性が落ちる為である。即ち、表示部１０のメンテナンスの為に表示アーム１６を装置本体９側から外すことで装置本体９側の板金（特に本体側固定部２１，２２の接合部のネジ受け）がへたってしまうことが多々ある。こうなると、装置本体９を遊技島から取り外したり、装置本体９ごと交換したりする等の２次的なメンテナンスが必要となる。上記を考慮すると装置本体９側の板金に出来る限り負荷を掛けたくないが、遊技機１の回動の度に第１軸１８が回動すると、近接する装置本体９側の板金に余計な負荷が掛かってしまう。よって、第２軸１９を優先して回動させることにより、装置本体９側の板金に余計な負荷を与えない様にした。
第３の理由としては、現状復帰させる際に、遊技者側に近い第２軸１９のみを戻せば良い為である。仮に第１軸１８を優先して回動させると、遊技者側に近い第２軸１９をも考慮して現状復帰させる必要が生じ、復帰に時間を要するようになる。
【００３３】
一方、第１軸１８は回転抵抗力を第１軸上アーム２５のプレスにより調節するのに対して、第２軸１９は第２軸下アーム４０のプレスにより調節するようにしたのは、第２軸１９をデザイン上、細く形成したい為である。即ち、細く形成した第２軸１９の第２軸上アーム３３のプレスにより調節すると、ラッチ機構との関係上構造が複雑化し、ラッチ機構が機能しなくなる（凸部或いは凹部が破損する）虞がある為で、上記の様にラッチ機構と回転抵抗力を調節するプレスとを分散化することにより、第２軸１９をスリム化しても十分に各機能を発揮出来る。
また、第２軸１９では、ラッチ機構の為に第２軸上アーム３３に座金が必要となり、回転抵抗力調節の為に第２軸下アーム４０にも座金が必要となるが、第１軸１８では、第１軸下アーム３０にて回転抵抗力調節しない為、座金を必要とせずコストを削減出来る。
【００３４】
尚、図１から明らかな様に、第１軸１８の回転抵抗力を定める第１軸上アーム２５に対応する留部材２８と、第２軸１９の回転抵抗力を定める第２軸下アーム４０に対応する留部材４５との半径を比較すると、第１軸上アーム２５に対応する留部材２８の半径を大きく形成した。このように留部材２８の半径を大きく形成し、第１軸上アーム２５等に干渉する面積を大きくすることによってもその摩擦係数を調節している。尚、本実施形態では、上述した留部材２８，４５をプレスする際の距離と、半径の２つの構成にて回転抵抗力を調節したが、いずれか一方により調節しても良い。勿論、磁力や、電気的な構成等、他の構成により調節しても良い。
【００３５】
このような実施形態によれば、装置本体９が遊技機１間に設置された遊技機装置３は、遊技情報を表示する表示部１０を備えると共に、表示部１０を本体に対して接合する表示アーム１６を備え、表示アーム１６は第１軸１８、及び第２軸１９を中心にして回動可能な上で、第２軸１９の回転抵抗力を第１軸１８の回転抵抗力よりも小さく設定した回転抵抗力設定機構２９，３２を備えるように構成したので、遊技機１を元の状態へと戻した場合に第２軸１９についてのみ元に戻せば第１軸１８を戻すことなく、遊技機１の回動前の状態に戻すことが可能となる。従って、遊技機１の図柄変動部を注視する遊技者に対して大きく視線移動を強いる必要なく、遊技情報を表示する構成とした場合にあっても第１軸１８、及び第２軸１９の双方をメンテナンスの度に元に戻さなければならない様な運用上の利便性を損なう虞がない。
【００３６】
また、第１軸１８は装置本体９側に設けられる一方、第２軸１９は表示部１０側に設けられているので、遊技機１の回動時に装置本体９側に与える振動が減少し、例えば装置本体９側に主制御基板等の精密機器を配置した場合に、その精密機器に対する振動を抑制出来る。また、例えば、表示部１０のメンテナンスを考慮すると、表示アーム１６を装置本体９に対して着脱可能に構成し、表示部１０のメンテナンス時には表示アーム１６ごと取り外すことが望ましいが、そのメンテナンスを繰返すことで表示アーム１６を取付ける装置本体９側の板金が消耗し２次的なメンテナンス（装置本体９の交換等）が発生する虞があるが、遊技機１を回動する際に第２軸１９が優先して回動される為、その振動が装置本体９側まで伝わる可能性が低ければ、その場合の消粍が少なく、板金の耐久性を高く保つことが可能となる。尚、遊技機１の回動後に元に戻した場合、遊技者に近い第２軸１９のみを戻せば良いという利便性が高くなる効果もある。
【００３７】
また、第２軸１９を２つの接合部３６，４３により構成し、一方の上接合部３６にはその回動をラッチするラッチ機構４７を設ける一方、他方の下接合部４３には第２軸１９の回転抵抗力を調節する回転抵抗力設定機構３２を設けるようにしたので、第２軸１９に回転抵抗力設定機構３２と、ラッチ機構４７の２つの構成を設けたとしても各々を異なる接合箇所に設ける為、両者の機能を損なうことなく第２軸１９をスマートに形成出来、デザイン性の高い遊技機装置３を提供可能となる。
【００３８】
さらに、ラッチ機構４７を座金３４，３７、表示アーム１６のそれぞれに凸部３７ｂ、凹部３６ｃを形成すると共に、第１軸１８を２つのヒンジ機構により構成し、第１軸１８において同一のヒンジ機構に回転抵抗力設定機構２９とラッチ機構４８とを設けるようにしたので、第１軸１８は少なくとも第２軸１９よりも摩擦抵抗が大きなって固く接合され、よって、ラッチ機構４８における固定力を増すことが可能となる。
【００３９】
（他の実施形態）
本発明は、上記実施形態に限定されることなく、次のように変形または拡張できる。
表示アーム１６を２軸としたが、複数の軸を備えれば３軸以上であっても良い。即ち、表示アーム本体２０をいくつかの軸を備えた構成としても良い。この場合、遊技機装置３の本体に近い順に軸の回転抵抗力を強くすることが望ましい。
複数の軸の内、回転抵抗力が互いに異なれば、装置本体９側から離れた軸の回転抵抗力を強くしても良い。即ち、第２軸１９を装置本体９側としても良い。
本体側固定部２１，２２を上下、別部品としたが、表示部側固定部３５の様に一体的に形成しても良い。勿論、表示部側固定部３５を本体側固定部２１，２２の様に別部品としても良い。
【００４０】
ラッチ機構を各下アーム３０，４０側に設けても良い。この場合、第１軸１８についてはラッチ機構と、回転抵抗力を調節するプレスとを同一側にて行っても良いが、第２軸１９においては逆（上）側にて回転抵抗力を調節するプレスを行えば、実施例同様にデザインをスマート化出来る。
ラッチ機構４７，４８において、２つの座金によりアームを挟込む構造としたが、上下いずれか一方の座金のみにラッチ機構を施すのみでも良い。また、耐久性は低くなるが座金を用いない構成としても良い。
ラッチ機構４７，４８において、第１軸１８、第２軸１９共に３つの角度パターンとしたが、複数パターンであれば、２、或いは４パターン以上等としても良い。勿論、ラッチ機構を設けず無段階としても良い。
ラッチ機構において、凸部、凹部を実施例と逆にした構成としても良い。また、表示アーム本体２０にラッチ機構を施さず、座金と本体側固定部２１，２２とにより、或いは座金と表示部側固定部３５とによりラッチ機構を施してもよい。
【００４１】
座金は、耐久性を考慮して金属製が望ましいが、樹脂製等の座金を用いても良い。
遊技機１に対応した表示部を備えた遊技機装置であれば、貸出処理機能を備えていても良い。この場合、別途貸出装置を設ける必要が無くなる。また、遊技機１に対応した計数装置である所謂台毎計数機能を備える様にしても良い。
対応する遊技機はパチスロ等どの様な遊技機であっても良く、対象となる遊技媒体もメダル等の遊技媒体を採用しても良い。
【図面の簡単な説明】
【００４２】
【図１】本発明の一実施形態における表示アームの分解斜視図
【図２】表示アームの第２軸の上部を拡大して示す斜視図
【図３】表示部を背面方向から示す斜視図
【図４】表示部を正面方向から示す斜視図
【図５】表示部の回転パターンを示す図
【図６】全体構成を示す概略図
【図７】遊技機装置の正面図
【符号の説明】
【００４３】
図面中、１は遊技機、３は遊技機装置、９は装置本体、１０は表示部、１６は表示アーム、１８は第１軸、１９は第２軸、２０は表示アーム本体、２１は上本体側固定部、２２は下本体側固定部、２５は第１軸上アーム（接合箇所）、２９は回転抵抗力設定機構（第１回転抵抗力設定手段）、３２は回転抵抗力設定機構（第２回転抵抗力設定手段）、３５は表示部側固定部、３６は上接合部（接合箇所）、３６ｃは凹部、３７ｂは凸部、４３は下接合部（接合箇所）、４７はラッチ機構（表示部側ラッチ手段）、４８はラッチ機構（本体側ラッチ手段）である。
【図１】
2010029446.tif 000003
【図２】
2010029446.tif 000004
【図３】
2010029446.tif 000005
【図４】
2010029446.tif 000006
【図５】
2010029446.tif 000007
【図６】
2010029446.tif 000008
【図７】
2010029446.tif 000009